(57)【要約】【課題】装置の制御等に用いられる指定値の変化速度を調節し、操作者の利便性を高める。【解決手段】操作者により指定される指定値を入力する入力装置１０は、操作者により指定値を変更する旨を示す指定値変更指示を受け取ると、指定値を予め定められた第１の変化量変化させる指定値変更部１１０と、指定値変更指示を受け取ってから予め定められた変化量変更期間内に、指定値変更指示とは異なる方向へ指定値を変更する指示を受け取った場合に、指定値変更部による変化量を第１の変化量より小さい第２の変化量に変更し、変化量変更期間経過後に、指定値変更指示とは異なる方向へ指定値を変更する指示を受け取った場合に、指定値変更部による変化量を第１の変化量のまま保持する変化量変更部１３０とを備える。【選択図】　図１
2004046459.tif 000002
【特許請求の範囲】
【請求項１】
操作者により指定される指定値を入力する入力装置であって、
前記指定値を変更する旨を示す指定値変更指示を受け取ると、前記指定値を予め定められた第１の変化量変化させる指定値変更部と、
前記指定値変更指示を受け取ってから予め定められた変化量変更期間内に、前記指定値変更指示とは異なる方向へ前記指定値を変更する指示を受け取った場合に、前記指定値変更部による変化量を前記第１の変化量より小さい第２の変化量に変更し、前記変化量変更期間経過後に、前記指定値変更指示とは異なる方向へ前記指定値を変更する指示を受け取った場合に、前記指定値変更部による変化量を前記第１の変化量のまま保持する変化量変更部と
を備えることを特徴とする入力装置。
【請求項２】
前記指定値変更部は、
前記指定値を増加させる増加指示を受け取ると、前記指定値を前記第１の変化量増加させる増加部と、
前記指定値を減少させる減少指示を受け取ると、前記指定値を前記第１の変化量減少させる減少部と
を有し、
前記変化量変更部は、前記増加部及び前記減少部の一方が指示を受け取ってから前記予め定められた期間内において、前記増加部及び前記減少部の他方が指示を受け付けた場合に、前記増加部及び前記減少部の双方における前記指定値の変化量を前記第２の変化量に変更することを特徴とする請求項１記載の入力装置。
【請求項３】
操作者からの前記増加指示を入力する増加ボタンと、
操作者からの前記減少指示を入力する減少ボタンと
を更に備えることを特徴とする請求項２記載の入力装置。
【請求項４】
前記指定値の変化又は前記変化量の変化を示す情報を画面に表示する表示部を更に備えることを特徴とする請求項１記載の入力装置。
【請求項５】
前記変化量変更部は、前記指定値変更指示による前記指定値の変化量を前記第２の変化量に変更した場合において、前記指定値変更部が指定値変更指示を直前に受け取ってから、予め定められた変化量維持期間が経過したと判断した場合に、前記指定値変更指示による前記指定値の変化量を前記第１の変化量に再び変更することを特徴とする請求項１記載の入力装置。
【請求項６】
前記変化量変更部が、前記指定値変更部による前記指定値の変化量を前記第２の変化量に変更した場合に、前記第２の変化量による前記指定値の変位を管理する変位管理部を更に備え、
前記変化量変更部は、前記変位が前記第１の変化量を超えた場合に、前記指定値の変化量を前記第１の変化量に再び変更することを特徴とする請求項１記載の入力装置。
【請求項７】
前記指定値変更部は、前記変化量変更部により前記変化量が前記第２の変化量に変更された場合に、前記第２の変化量を用いて前記指定値を変更し、
前記変化量変更部は、前記指定値変更指示とは異なる方向に前記指定値を変化させてから前記変化量変更期間内において、指定値変更指示を再び受け取った場合に、前記指定値変更部による変化量を、更に、前記第２の変化量より小さい第３の変化量に変更することを特徴とする請求項１記載の入力装置。
【請求項８】
操作者により指定される指定値を入力する入力装置であって、
前記指定値を変更する旨を示す第１の指定値変更指示を受け取ると、前記指定値を予め定められた第１の変化量変化させる指定値変更部と、
前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する変化量変更部と
を備えることを特徴とする入力装置。
【請求項９】
操作者により指定される指定値を入力する入力装置であって、
前記指定値を変更する旨を示す指定値変更指示を受け取る毎に、前記指定値を予め定められた第１の変化量変化させる指定値変更部と、
前記指定値変更指示を予め定められた頻度より低い頻度で受け取った場合に、前記指定値変更部による変化量を、前記第１の変化量より小さい第２の変化量に変更する変化量変更部と
を備えることを特徴とする入力装置。
【請求項１０】
操作者により指定される指定値を入力する入力装置であって、
前記指定値を変更する旨を示す指定値変更指示を受け取ると、前記指定値を予め定められた第１の変化量変化させる指定値変更部と、
前記指定値変更部による変化量を変更する指示及び前記指定値変更指示の双方を受け取ると、前記指定値変更部による変化量を、前記第１の変化量より小さい第２の変化量に変更する変化量変更部と
を備えることを特徴とする入力装置。
【請求項１１】
操作者により指定される指定値を入力する入力方法であって、
前記指定値を変更する旨を示す指定値変更指示を受け取ると、前記指定値を予め定められた第１の変化量変化させる段階と、
前記指定値変更指示とは異なる方向へ前記指定値を変更する指示を受け取ったか否かを判断する段階と、
前記指定値変更指示を受け取ってから予め定められた変化量変更期間内に、前記指定値変更指示とは異なる方向へ前記指定値を変更する指示を受け取ったと判断された場合に、前記指定値変更部による変化量を前記第１の変化量より小さい第２の変化量に変更し、前記指定値変更指示を受け取ってから前記予め定められた期間経過後に、前記指定値変更指示とは異なる方向へ前記指定値を変更する指示を受け取ったと判断された場合に、前記指定値変更指示による変化量を前記第１の変化量のまま保持する段階と
を備えることを特徴とする入力方法。
【請求項１２】
操作者により指定される指定値を入力する入力方法であって、
前記指定値を変更する旨を示す第１の指定値変更指示を受け取ると、前記指定値を予め定められた第１の変化量変化させる段階と、
前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する段階と
を備えることを特徴とする入力方法。
【請求項１３】
操作者により指定される指定値をコンピュータにより入力させるプログラムであって、前記コンピュータを
前記指定値を変更する旨を示す指定値変更指示を受け取ると、前記指定値を予め定められた第１の変化量変化させる指定値変更部と、
前記指定値変更指示を受け取ってから予め定められた変化量変更期間内に、前記指定値変更指示とは異なる方向へ前記指定値を変更する指示を受け取った場合に、前記指定値変更部による変化量を前記第１の変化量より小さい第２の変化量に変更し、前記変化量変更期間経過後に、前記指定値変更指示とは異なる方向へ前記指定値を変更する指示を受け取った場合に、前記指定値変更部による変化量を前記第１の変化量のまま保持する変化量変更部と
して機能させることを特徴とするプログラム。
【請求項１４】
操作者により指定される指定値をコンピュータにより入力させるプログラムであって、前記コンピュータを
前記指定値を変更する旨を示す第１の指定値変更指示を受け取ると、前記指定値を予め定められた第１の変化量変化させる指定値変更部と、
前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する変化量変更部と
して機能させることを特徴とするプログラム。
【請求項１５】
操作者により指定される指定値をコンピュータにより入力させるプログラムを記録した記録媒体であって、
前記プログラムは、前記コンピュータを、
前記指定値を変更する旨を示す指定値変更指示を受け取ると、前記指定値を予め定められた第１の変化量変化させる指定値変更部と、
前記指定値変更指示を受け取ってから予め定められた変化量変更期間内に、前記指定値変更指示とは異なる方向へ前記指定値を変更する指示を受け取った場合に、前記指定値変更部による変化量を前記第１の変化量より小さい第２の変化量に変更し、前記指定値変更指示を受け取ってから前記予め定められた期間経過後に、前記指定値変更指示とは異なる方向へ前記指定値を変更する指示を受け取った場合に、前記指定値変更部による変化量を前記第１の変化量のまま保持する変化量変更部と
して機能させることを特徴とする記録媒体。
【請求項１６】
操作者により指定される指定値をコンピュータにより入力させるプログラムを記録した記録媒体であって、
前記プログラムは、前記コンピュータを、
前記指定値を変更する旨を示す第１の指定値変更指示を受け取ると、前記指定値を予め定められた第１の変化量変化させる指定値変更部と、
前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する変化量変更部と
して機能させることを特徴とする記録媒体。
【発明の詳細な説明】
【０００１】
【発明の属する技術分野】
本発明は、入力装置、入力方法、プログラム、及び記録媒体に関する。特に本発明は、入力する値を微調整する入力装置、入力方法、プログラム、及び記録媒体に関する。
【０００２】
【従来の技術】
特開平７−２７４５８９号によると、操作者が操作キーを用いて装置の制御に用いられる設定値を上昇又は下降させている場合において、上／下キーを押しながら逆の動作を意味するキーが押された場合に、上昇又は下降の変化速度を下げる装置が提案されている。この装置は、同一の変化方向における変化速度を、変化方向の逆の動作を意味するキーにより調節する。
【０００３】
【発明が解決しようとする課題】
しかしながら、この装置は、設定値を逆方向に変化させた場合における、値の変化速度の調節をすることはできなかった。
そこで本発明は、上記の課題を解決することのできる入力装置、入力方法、プログラム、及び記録媒体を提供することを目的とする。この目的は特許請求の範囲における独立項に記載の特徴の組み合わせにより達成される。また従属項は本発明の更なる有利な具体例を規定する。
【０００４】
【課題を解決するための手段】
即ち、本発明の第１の形態によると、操作者により指定される指定値を入力する入力装置であって、指定値を変更する旨を示す指定値変更指示を受け取ると、指定値を予め定められた第１の変化量変化させる指定値変更部と、指定値変更指示を受け取ってから予め定められた変化量変更期間内に、指定値変更指示とは異なる方向へ指定値を変更する指示を受け取った場合に、指定値変更部による変化量を第１の変化量より小さい第２の変化量に変更し、変化量変更期間経過後に、指定値変更指示とは異なる方向へ指定値を変更する指示を受け取った場合に、指定値変更部による変化量を第１の変化量のまま保持する変化量変更部とを備えることを特徴とする入力装置、入力方法、当該装置を実現するプログラム、及びプログラムを記録した記録媒体を提供する。
【０００５】
また、本発明の第２の形態によると、操作者により指定される指定値を入力する入力装置であって、指定値を変更する旨を示す第１の指定値変更指示を受け取ると、指定値を予め定められた第１の変化量変化させる指定値変更部と、第１の指定値変更指示とは異なる方向へ指定値を変更する第２の指定値変更指示、第２の指定値変更指示とは異なる方向へ指定値を変更する第３の指定値変更指示、及び第３の指定値変更指示とは異なる方向へ指定値を変更する第４の指定値変更指示を、それぞれ予め定められた変化量変更期間より小さい間隔で順次受け取った場合に、第４の指定値変更指示以降の指定値変更指示による変化量を、第１の変化量より小さい第２の変化量に変更する変化量変更部とを備えることを特徴とする入力装置、入力方法、当該装置を実現するプログラム、及びプログラムを記録した記録媒体を提供する。
【０００６】
なお上記の発明の概要は、本発明の必要な特徴の全てを列挙したものではなく、これらの特徴群のサブコンビネーションも又発明となりうる。
【０００７】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【０００８】
図１は、入力装置１０の機能ブロック図の一例を示す。入力装置１０は、装置の制御に用いられる指定値を適切に入力することを目的とし、操作者に、所望の指定値を利便に指定させることができる。
【０００９】
入力装置１０は、増加ボタン１０２と、減少ボタン１０４と、指定値変更部１１０と、指定値格納部１２０と、変化量変更部１３０と、変位管理部１４０と、表示部１５０と、出力部１６０とを備える。増加ボタン１０２は、指定値変更指示の一例である増加指示を操作者から受け付け、指定値変更部１１０に送る。減少ボタン１０４は、指定値変更指示の一例である減少指示を操作者から受け付け、指定値変更部１１０に送る。なお、増加ボタン１０２及び減少ボタン１０４は、キーボード等に設けられたキーであってもよいし、スイッチであってもよいし、つまみであってもよいし、キー、スイッチ及びつまみの組合せであってもよい。
【００１０】
指定値変更部１１０は、増加部１１２と、減少部１１４とを有する。増加部１１２は、増加ボタン１０２から増加指示を受け付けると、指定値格納部１２０が格納する指定値を、予め定められた第１の変化量増加し、当該増加指示を変化量変更部１３０に送る。同様に、減少部１１４は、減少ボタン１０４から減少指示を受け付けると、指定値格納部１２０が格納する指定値を第１の変化量減少し、当該減少指示を変化量変更部１３０に送る。
また、指定値変更部１１０は、指定値を変更する毎に、指定値の変化量を変位管理部１４０に送る。また、指定値変更部１１０は、変化量変更指示を変化量変更部１３０から受け取ると、増加部１１２および減少部１１４による指定値の変化量を、第１の変化量より小さい第２の変化量に変更する。
【００１１】
指定値格納部１２０は、指定値を格納し、指定値変更部１１０からの指示に応じて指定値を変更する。そして、指定値格納部１２０は、表示部１５０又は出力部１６０からの要求に応じて、表示部１５０又は出力部１６０に指定値を送る。
【００１２】
変化量変更部１３０は、増加指示又は減少指示を指定値変更部１１０から受け取る。そして、変化量変更部１３０は、増加指示又は減少指示を受け取るタイミングに基づき、指定値変更部１１０による指定値の変化量を第１の変化量から第２の変化量に変更する変化量変更指示を指定値変更部１１０に送る。この場合、変化量変更部１３０は、指定値の変位を管理開始する旨の指示を、変位管理部１４０に送る。また、変化量変更部１３０は、変位管理部１４０から受け取った指定値の変位に基づき、第２の変化量を再び第１の変化量に変更する。なお、他の例として、変化量変更部１３０は、外部からの指示に従い、変化量を変更してもよい。
【００１３】
変位管理部１４０は、指定値の変位を管理開始する旨の指示を変化量変更部１３０から受け取ると、指定値変更部１１０から変化量の受け取りを開始し、指定値の変位を管理する。そして、変位管理部１４０は、指定値の変位が変化する毎に、指定値の変位を変化量変更部１３０に送る。
【００１４】
表示部１５０は、指定値を指定値格納部１２０から受け取り、当該指定値を操作者の指示に応じて表示する。また、出力部１６０は、指定値を指定値格納部１２０から受け取り、指定値に対応した出力処理を行う。例えば、出力部１６０は、音量、ポインタ位置、画面の輝度等を、指定値に基づき変更する。
【００１５】
このように、入力装置１０は、操作者の指示に従い指定値を変化させる際に、操作者による指示のタイミングに応じて、操作者による１回の指示当たりの指定値の変化量を変更する。従って、入力装置１０は、操作者の操作に応じて指定値を微調整させることができ、所望の指定値を容易に指定させることができる。
【００１６】
図２は、入力装置１０の動作フローを示す。入力装置１０は、以下で示すように、操作者の指定値変更指示を一度受け取る毎に、指定値を第１の変化量（例えば、５段階）変化させる通常調整モードと、操作者の指定値変更指示を一度受け取る毎に、指定値を１段階変化させる微調整モードとを、操作者の指示のタイミングに応じて切り替える。
指定値変更部１１０は、指定値変更指示を操作者から受け付ける（Ｓ１００）。変化量変更部１３０は、指定値変更指示を前回受け取ってから、予め定められた変化量変更期間経過後に、指定値変更指示を受け取ったと判断した場合に（Ｓ１１０：ＹＥＳ）、入力装置１０を通常調整モードに設定し（Ｓ１２０）、前回の指定値変更指示の履歴を消去し、Ｓ１００による指定値変更指示を新たな履歴とする（Ｓ１３０）。
なお、本動作フローにおいて、変化量変更期間は、第２の変化量を第１の変化量に再び変更する場合の判断に用いられる変化量維持期間と同様であり、Ｓ１１０は、変化量変更期間及び変化量維持期間の双方の判断を一度の比較により行う。他の例として、入力装置１０は、変化量変更期間及び変化量維持期間を互いに異なる長さの期間に設定し、これらの期間が経過した判定をそれぞれ行ってもよい。
【００１７】
一方、変化量変更部１３０は、指定値変更指示を前回受け取ってから、予め定められた変化量変更期間内に、指定値変更指示を受け取ったと判断した場合に（Ｓ１１０：ＮＯ）、入力装置１０が第１微調整モードに設定されているか否かを判断する（Ｓ１４０）。第１微調整モードに設定されていると判断された場合に（Ｓ１４０：ＹＥＳ）、入力装置１０は、第１微調整を行う（Ｓ１５０）。
【００１８】
一方、第１微調整モードに設定されていないと判断された場合に、（Ｓ１４０：ＮＯ）、変化量変更部１３０は、モード変更の判定を行い（Ｓ１６０）、モード変更の条件が成立したと判断した場合に（Ｓ１７０：ＹＥＳ）、入力装置１０を第１微調整モードに設定し（Ｓ１８０）、入力装置１０により第１微調整を行わせる（Ｓ１５０）。
【００１９】
一方、モード変更の条件が成立しなかったと判断された場合に（Ｓ１７０：ＮＯ）、指定値変更部１１０は、指定値変更指示として増加指示を増加ボタン１０２から受け取ったか否かを判断し（Ｓ１９０）、増加指示を受け取っていないと判断した場合に（Ｓ１９０：ＮＯ）、指定値格納部１２０中の指定値を５段階下げさせる（Ｓ２００）。一方、増加指示を受け取ったと判断された場合に（Ｓ１９０：ＹＥＳ）、指定値変更部１１０は、指定値格納部１２０中の指定値を５段階上げる（Ｓ２１０）。続いて、入力装置１０は、変更された指定値を、切り捨て又は切り上げにより５の倍数に丸める（Ｓ２２０）。
【００２０】
入力装置１０は、入力装置１０を実現する装置の規格により予め定められた最大音量を、変更された指定値が超えたと判断した場合に（Ｓ２３０：ＹＥＳ）、指定値を減じることにより最大音量に設定する（Ｓ２４０）。最大音量を、指定値が超えたと判断されなかった場合に（Ｓ２３０：ＮＯ）、入力装置１０は、指定値が最小音量を下回ったか否かを判断し（Ｓ２５０）、最小音量を下回ったと判断された場合に（Ｓ２５０：ＹＥＳ）、指定値を最小音量に設定する（Ｓ２６０）。
【００２１】
図３は、図２のＳ１６０における動作フローを示す。変化量変更部１３０は、変化量変更指示による指定値の変化の方向が、前回の変化量変更指示と同じか否かを判断する（Ｓ１６２）。前回と同じと判断された場合に（Ｓ１６２：ＹＥＳ）、変化量変更部１３０は、モード変更の条件が不成立と判定し（Ｓ１６４）、前回と同じでないと判断された場合に（Ｓ１６２：ＮＯ）、モード変更の条件が成立したと判定する（Ｓ１６６）。変化量変更部１３０は、条件成立又は条件不成立の情報を保存し、続いての処理に使用させる。
【００２２】
図４は、図２のＳ１５０における動作フローを示す。指定値変更部１１０は、増加指示を増加ボタン１０２から受け取ったか否かを判断し（Ｓ４００）、増加指示を受け取っていないと判断した場合に（Ｓ４００：ＮＯ）、指定値格納部１２０中の指定値を第２の変化量（例えば、１段階）下げさせる（Ｓ４２０）。増加指示を受け取ったと判断された場合に（Ｓ４００：ＹＥＳ）、指定値変更部１１０は、指定値格納部１２０中の指定値を１段階上げる（Ｓ４１０）。続いて、変化量変更部１３０は、指定値の変位が５段階に達したと判断した場合に（Ｓ４３０：ＹＥＳ）、入力装置１０を通常調整モードに設定する（Ｓ４４０）。例えば、変化量変更部１３０は、指定値の変位が５段階に達したか否かを、剰余（例えば、ＭＯＤ）演算等を用いて、指定値が５の倍数であるか若しくは指定値が５の倍数＋１であるかを計算することにより判断してもよい。
【００２３】
以上で示したように、入力装置１０は、前回に指定値変更指示を受け取ってから、変化量変更期間内に、前回とは異なる方向への指定値変更指示を受け取った場合に、指定値変更部１１０による変化量を第１の変化量より小さい第２の変化量に変更することができる。一方、変化量変更期間経過後に、前回とは異なる方向への指定値変更指示を受け取った場合に、入力装置１０は、指定値変更部１１０による変化量を第１の変化量のまま保持することができる。したがって、入力装置１０は、操作者による指示のタイミングに応じて変化量を調節し、操作者による指定値の微調整を容易にすることができる。
【００２４】
また、Ｓ１４０における第１微調整モードの判断を、Ｓ１６０及びＳ１７０におけるモード変更の判定より先に行わせることにより、入力装置１０は、増加指示及び減少指示の一方を受け取ってから予め定められた期間内において、増加指示及び減少指示の他方を受け付けた場合に、増加部１１２及び減少部１１４の双方における指定値の変化量を第２の変化量に変更することができる。
【００２５】
図５は、入力装置１０による指定値の変化を示すグラフである。指定値変更部１１０は、増加指示である指定値変更指示５００−１〜３を受け付けると、それぞれ第１の変化量（グラフ中のｌ）、指定値である音量を増加させる。変化量変更部１３０は、指定値変更指示５００−３を受け取ってから変化量変更期間Ｔ１内であるｔ１経過時に、指定値変更指示５００−３とは異なる方向へ指定値を変更する指定値変更指示５００−４を受け取ると、指定値変更指示による変化量を第１の変化量ｌより小さい第２の変化量ｍに変更する（例えば、第１微調整モード）。これを受けて、指定値変更部１１０は、指定値変更指示５００−４を受け取ると、指定値を第２の変化量ｍ減少させる。また、この場合、変位管理部１４０は、指定値変更部１１０による指定値の変位を管理開始する。
【００２６】
続いて、指定値変更部１１０は、指定値変更指示５００−５〜１０に応じて、指定値をｍずつ変化させる。そして、変化量変更部１３０は、指定値変更指示５００−１１を受け取った場合に、指定値の変位、すなわち指定値変更指示５００−５〜１１による指定値の変化の総量が、第１の変化量ｌを超えたと判断し、指定値変更部１１０による指定値の変化量を第１の変化量ｌに再び変更する（例えば、通常モード）。すなわち、指定値変更部１１０は、指定値変更指示５００−１１〜１２により、それぞれ指定値を第１の変化量ｌ変化させる。
なお、他の例として、変位管理部１４０は、指定値の変位に代えて、指定値の変化の累積値を管理してもよい。この場合、指定値変更部１１０は、累積値が第１の変化量等の所定値を超えた場合に、指定値の変化量を第１の変化量に再び変更する。
【００２７】
さらに、変化量変更部１３０は、指定値変更指示５００−１２とは異なる増加指示である指定値変更指示５００−１３を受け取ると、第１の変化量ｌを第２の変化量ｍに変更する（例えば、第１微調整モード）。これを受けて、指定値変更部１１０は、指定値変更指示５００−１３〜１４を受け取ると、それぞれ、第２の変化量ｍ、指定値を変更する。
【００２８】
続いて、変化量変更部１３０は、直前に受け取った指定値変更指示５００−１４から、変化量維持期間Ｔ２より大きいｔ２経過後に、指定値変更指示５００−１５を受け取ると、指定値変更部１１０による変化量を第２の変化量ｍから第１の変化量ｌに変更する。すなわち、指定値変更部１１０は、指定値を第１の変化量ｌ減じ、指定値が示す数値を切り上げることにより、ｌの倍数（例えば５の倍数）に指定する。結果として、入力装置１０は、指定値を、上記一連の操作開始前の値に戻す。
【００２９】
以上に説明したように、入力装置１０は、音量等の出力量などの設定に用いられる指定値を微調整させることができ、操作者の所望する値に指定させることができる。さらに、入力装置１０は、操作者による操作に応じて、適切なタイミングで微調整を終了し、通常の動作に復帰することができる。
なお、本図において、指定値変更部１１０は、増加ボタン１０２又は減少ボタン１０４が押下される度に指定値を変更するが、他の例として、増加ボタン１０２又は減少ボタン１０４が押下され続けている間に、指定値を連続して変更してもよい。すなわち、増加ボタン１０２又は減少ボタン１０４は、利用者から押下され続けている場合に、指定値変更部１１０に、定期的に指定値変更指示を送る。この場合、指定値変更部１１０は、定期的に受け取る指定値変更指示に応じて、指定値を変更する。
【００３０】
図６は、第１の変形例における、モード変更の判定を示す。本変形例における機能ブロックは、図１に示した機能ブロックと略同一であるので説明を省略する。また、本変形例における動作フローは、図２に示した動作フローと比較してＳ１６０の「モード変更の判定」のみが異なるので、相違点について説明する。
【００３１】
変化量変更部１３０は、変化量変更指示による指定値の変化の方向が、前回の変化量変更指示と同じか否かを判断する（Ｓ６００）。前回と同じと判断された場合に（Ｓ６００：ＹＥＳ）、変化量変更部１３０は、モード変更の条件が不成立と判定する（Ｓ６１０）。前回と同じでないと判断された場合に（Ｓ６００：ＮＯ）、変化量変更部１３０は、変化量変更指示による指定値の変化の方向が前回の変化量変更指示と異なることが、所定の回数、例えば３回以上あったか否かを判断する（Ｓ６２０）。
変化量変更部１３０は、変化量変更指示による指定値の変化の方向が前回の変化量変更指示と異なることが、３回以上あったと判断した場合に（Ｓ６２０：ＹＥＳ）、変化量変更部１３０は、モード変更の条件が成立したと判定する（Ｓ６３０）。
一方、変化量変更部１３０は、変化量変更指示による指定値の変化の方向が前回の変化量変更指示と異なることが、３回以上なかった判断した場合に（Ｓ６２０：ＮＯ）、モード変更の条件が成立しなかったと判定し（Ｓ６４０）、変化量変更指示が前回の変化量変更指示と異なったことを履歴として保存する（Ｓ６５０）。
【００３２】
このように、変化量変更部１３０は、指定値を変更する旨を示す第１の指定値変更指示、第１の指定値変更指示とは異なる方向へ指定値を変更する第２の指定値変更指示、第２の指定値変更指示とは異なる方向へ指定値を変更する第３の指定値変更指示、及び第３の指定値変更指示とは異なる方向へ指定値を変更する第４の指定値変更指示を、それぞれ変化量変更期間より小さい間隔で順次受け取った場合に、第４の指定値変更指示以降の指定値変更指示による変化量を、第１の変化量より小さい第２の変化量に変更する。
例えば、変化量変更部１３０は、増加指示により指定値を増加している場合に、減少指示、増加指示、及び減少指示を順次受け取った場合に、第１微調整モードへの変更の条件が成立したと判定する。したがって、本図において、入力装置１０は、図３に示した方法に比べて、第１微調整モードの設定のタイミングを遅らせることができ、ボタン操作に不慣れな操作者等の利便性を高めることができる。
【００３３】
図７は、第２及び第３の変形例における、モード変更の判定の動作フローを示す。図７（Ａ）は、第２の変形例におけるモード変更の判定を示す。図７（Ｂ）は、第３の変形例におけるモード変更の判定を示す。本図の双方の変形例における機能ブロック図は、図１に示した機能ブロック図と略同一であるので説明を省略する。また、本図の双方の変形例における動作フローは、図２に示した動作フローと比較してＳ１６０の「モード変更の判定」のみが異なるので、相違点について説明する。
【００３４】
図７（Ａ）において、変化量変更部１３０は、指定値変更指示を受け取る頻度が所定値より低いと判断した場合に（Ｓ７００：ＹＥＳ）、モード変更の条件が成立したと判定し（Ｓ７１０）、指定値変更指示を受け取る頻度が所定値より高いと判断した場合に（Ｓ７００：ＮＯ）、モード変更の条件が成立しないと判定する（Ｓ７２０）。例えば、所定値が０．５秒間隔である場合に、変化量変更部１３０は、指定値変更指示を受け取る間隔が０．５秒未満であれば、指定値変更指示を受け取る頻度が所定値より高いと判断し、指定値変更指示を受け取り間隔が０．５秒以上２秒未満であれば、指定値変更指示を受け取る頻度が所定値より低いと判断する。
このように、変化量変更部１３０は、指定値変更指示を予め定められた頻度より低い頻度で受け取った場合に、指定値変更部１１０による変化量を、第１の変化量より小さい第２の変化量に変更してもよい。
【００３５】
図７（Ｂ）において、変化量変更部１３０は、指定値変更指示と、指定値変更部１１０による変化量を変更する外部からの指示との双方を受け取ったと判断した場合に（Ｓ７３０：ＹＥＳ）、モード変更の条件が成立したと判定する（Ｓ７４０）。一方、変化量変更部１３０は、指定値変更指示と、指定値変更部１１０による変化量を変更する外部からの指示との双方を受け取らなかったと判断した場合に（Ｓ７３０：ＮＯ）、モード変更の条件が成立しないと判定する（Ｓ７５０）。なお、変化量変更部１３０は、指定値変更部１１０による変化量を変更する外部からの指示として、例えば、増加ボタン１０２及び減少ボタン１０４とは異なる他のボタン等の押下を検知してもよい。変化量変更部１３０は、例えば、他のボタンとして、シフトキーやコントロールキー等のキーボードコンビネーションに用いられるキーへの押下を検知してもよい。
【００３６】
このように、変化量変更部１３０は、指定値変更部１１０による変化量を変更する指示及び指定値変更指示の双方を受け取った場合に、指定値変更部１１０による変化量を、第１の変化量より小さい第２の変化量に変更してもよい。
【００３７】
図８は、第４の変形例における入力装置１０の動作フローを示す。本図における機能ブロックは、図１に示した機能ブロックと略同一であるので説明を省略する。また、本図における動作フローは、図２に示した動作フローのＳ１４０に代えて新たにＳ１４５の判断処理を有する。Ｓ１４５による判断がＹＥＳの場合の処理は、図２のＳ１４０による判断がＮＯの場合の処理と略同一であるので、説明を省略し、Ｓ１４５による判断がＮＯの場合について説明する。
【００３８】
入力装置１０は、通常モードに設定されていないと判断した場合に（Ｓ１４５：ＮＯ）、第１微調整モードに設定されているか否かを判断する（Ｓ８００）。入力装置１０は、第１微調整モードに設定されていないと判断した場合に（Ｓ８００：ＮＯ）、指定値を０．５刻みで変化させる第２微調整の処理を行う（Ｓ８４０）。入力装置１０は、第１微調整モードに設定されていると判断した場合に（Ｓ８００：ＹＥＳ）、モード変更の判定処理を行う（Ｓ８１０）。このモード変更の判定処理は、図３のＳ１６０で示したモード変更の判定処理と略同一であるので説明を省略する。
【００３９】
変化量変更部１３０は、条件が成立しなかったと判断した場合に（Ｓ８２０：ＮＯ）、第１微調整の処理を行わせる（Ｓ１５０）。変化量変更部１３０は、条件が成立したと判断した場合に（Ｓ８２０：ＹＥＳ）、入力装置１０を第２微調整モードに設定し（Ｓ８３０）、第２微調整を行わせる（Ｓ８４０）。
【００４０】
図９は、図８のＳ８４０における動作フローを示す。指定値変更部１１０は、増加指示を増加ボタン１０２から受け取ったか否かを判断し（Ｓ９００）、増加指示を受け取っていないと判断した場合に（Ｓ９００：ＮＯ）、指定値格納部１２０中の指定値を第３の変化量（例えば、０．５段階）下げさせる（Ｓ９２０）。増加指示を受け取ったと判断された場合に（Ｓ９００：ＹＥＳ）、指定値変更部１１０は、指定値格納部１２０中の指定値を０．５段階上げる（Ｓ９１０）。続いて、変化量変更部１３０は、指定値の変位が１段階に達したと判断した場合に（Ｓ９３０：ＹＥＳ）、入力装置１０を第１微調整モードに設定する（Ｓ９４０）。
なお、Ｓ９３０において、変化量変更部１３０は、指定値の変位が５段階に達したか否かを判断してもよい。この場合、変化量変更部１３０は、入力装置１０を通常調整モードに設定する。
【００４１】
このように、指定値変更部１１０による変化量が第２の変化量に変更されている場合において、変化量変更部１３０は、直前の指定値変更指示を受け取ってから予め定められた変化変更期間内において、直前の指定値変更指示とは異なる方向へ指定値を変更する指示を受け取った場合に、指定値変更部１１０による変化量を更に第２の変化量より小さい第３の変化量に変更してもよい。
【００４２】
更に、入力装置１０は、第３の変化量より小さい第４の変化量を用いて指定値を変更する第３微調整モードを設けて、更なる微調整を行わせてもよい。この場合、入力装置１０は、操作者の要望に応じ、より精度の高い指定値の調整を行わせることができる。
【００４３】
図１０は、表示部１５０による表示例を示す。表示部１５０は、指定値である音量の変化及び変化量の変化を示す情報を画面に表示する。
例えば、表示部１５０は、指定値が音量を示す旨の情報として、スピーカーを模したシンボルを表示する。そして、表示部１５０は、第１の変化量単位で指定値を示すブロック１２００及びブロック１２１０と、一部のみを彩色することにより第２の変化量単位で指定値を示すブロック１２３０とを表示する。例えば、表示部１５０は、指定値の大きさを表すシンボルとして、指定値が５段階である旨を示すブロック１２００及びブロック１２１０を彩色して表示する。そして、表示部１５０は、ブロック１２３０のうち２／５を彩色して表示することにより、指定値が２段階である旨を示す。
更に、表示部１５０は、ブロック１２４０及びブロック１２５０を白抜きで表示することにより、指定値が設定されていない旨を示す。以上より、表示部１５０は、指定値が１２段階である旨を示している。
【００４４】
更に、表示部１５０は、指定値の変化量の変化を示す情報として、モード設定情報１３００を表示する。すなわち、表示部１５０は、指定値の変化量が、第１微調整モードに対応する第２の変化量（例えば、１段階）であることを示している。
【００４５】
このように、指定値により制御される対象が、音量等のように視覚により認識不能な場合等に、表示部１５０は、指定値及び変化量を画面に表示することにより、操作者に容易な操作環境を提供することができる。
【００４６】
図１１は、第５の変形例における入力装置１０の機能ブロックの一例である。本図における指定値変更部１１０、増加部１１２、減少部１１４、指定値格納部１２０、変化量変更部１３０、変位管理部１４０、表示部１５０、及び音声出力部１６０は、図１における同じ符号の部材と略同一であるので相違点のみを説明する。入力装置１０は、マウス１０６を更に備える。
マウス１０６は、操作者によって移動されると、所定の軸方向における移動量を、増加指示又は減少指示として、増加部１１２又は減少部１１４に送る。例えば、マウス１０６は、操作者により縦方向に移動された場合に、Ｙ軸方向における移動量を、指定値の増加指示として、増加部１１２に送る。これを受けて、指定値変更部１１０は、指定値を第１の変化量増加させ、音声出力部１６０は、マウスの移動に応じた画像の表示位置等を、増加された指定値に応じて変更する。なお、マウス１０６は、入力装置１０と略同一の装置と更に接続されてもよい。例えば、入力装置１０がマウス１０６のＸ軸方向の移動を制御する場合に、入力装置１０と略同一の装置は、マウス１０６のＹ軸方向の移動を制御する。
【００４７】
図１２は、第５の変形例における出力部１６０の出力例を示す。本変形例において、指定値は、画面上において操作者がマウス１０６を用いてポインタにより指示する画像の表示位置である。この場合、入力装置１０は、特定の軸方向における表示位置の変化の方向が新たな方向に変わった場合に、指定値の変化量を第１の変化量から第２の変化量に変更する。
【００４８】
例えば、マウス１０６は、増加指示として、マウスポインタの表示位置のＹ座標を増加させる指示を受け付け、減少指示として、マウスポインタの表示位置のＹ座標を減少させる指示を受け付ける。
【００４９】
出力部１６０は、マウスポインタが始点Ｐに表示されている場合において、マウス１０６が増加指示を受け付けると、ポインタ軌跡６００に沿ってマウスポインタを第１の変化量移動させる。そして、マウスポインタが変更点Ｑに達してから予め定められた変化量変更期間内に、マウス１０６が減少指示を受け付けた場合に、入力装置１０は、第１微調整モードに設定される。すなわち、出力部１６０は、第１の変化量より小さい第２の変化量マウスポインタのＹ座標を増加させ、マウスポインタをポインタ軌跡６１０に沿って移動させる。
なお、この場合、出力部１６０は、変更点Ｑに達した後に、マウスポインタのＸ座標の変化量を、更に第１の変化量から第２の変化量に変更してもよい。したがって、入力装置１０は、マウスポインタの動きを遅くし、出力部１６０内の位置を微調整させることができる。
【００５０】
マウスポインタ等の表示位置の制御の他の例として、入力装置１０は、指定値として、マウスポインタ等の移動速度や、移動の加速度を用いてもよい。すなわち、入力装置１０は、速度や加速度の変化に応じて、指定値変更部１１０による変化量を変更してもよい。また、入力装置１０は、指定値として、出力部１６０の座標平面状における、ポインタ軌跡が示すグラフの微分値や、２次微分値を用いてもよい。すなわち、入力装置１０は、ポインタ軌跡が示すグラフの微分値や、２次微分値の変化に応じて、指定値変更部１１０による変化量を変更してもよい。
【００５１】
図１３は、実施形態及び変形例における入力装置１０のハードウェア構成の一例を示す。本実施形態に係る入力装置１０は、ホストコントローラ１０８２により相互に接続されるＣＰＵ１０００、ＲＡＭ１０２０、グラフィックコントローラ１０７５、及び表示装置１０８０を有するＣＰＵ周辺部と、入出力コントローラ１０８４によりホストコントローラ１０８２に接続される通信インターフェイス１０３０、ハードディスクドライブ１０４０、及びＣＤ−ＲＯＭドライブ１０６０を有する入出力部と、入出力コントローラ１０８４に接続されるＲＯＭ１０１０、フレキシブルディスクドライブ１０５０、及び入出力チップ１０７０を有するレガシー入出力部とを備える。
【００５２】
ホストコントローラ１０８２は、ＲＡＭ１０２０と、高い転送レートでＲＡＭ１０２０をアクセスするＣＰＵ１０００及びグラフィックコントローラ１０７５とを接続する。ＣＰＵ１０００は、ＲＯＭ１０１０及びＲＡＭ１０２０に格納されたプログラムに基づいて動作し、各部の制御を行う。グラフィックコントローラ１０７５は、ＣＰＵ１０００等がＲＡＭ１０２０内に設けたフレームバッファ上に生成する画像データを取得し、表示装置１０８０上に表示させる。これに代えて、グラフィックコントローラ１０７５は、ＣＰＵ１０００等が生成する画像データを格納するフレームバッファを、内部に含んでもよい。
【００５３】
入出力コントローラ１０８４は、ホストコントローラ１０８２と、比較的高速な入出力装置である通信インターフェイス１０３０、ハードディスクドライブ１０４０、及びＣＤ−ＲＯＭドライブ１０６０を接続する。通信インターフェイス１０３０は、ネットワークを介して他の装置と通信する。ハードディスクドライブ１０４０は、入力装置１０が使用するプログラム及びデータを格納する。ＣＤ−ＲＯＭドライブ１０６０は、ＣＤ−ＲＯＭ１０９５からプログラム又はデータを読み取り、ＲＡＭ１０２０を介して入出力チップ１０７０に提供する。
【００５４】
また、入出力コントローラ１０８４には、ＲＯＭ１０１０と、フレキシブルディスクドライブ１０５０や入出力チップ１０７０等の比較的低速な入出力装置とが接続される。ＲＯＭ１０１０は、入力装置１０の起動時にＣＰＵ１０００が実行するブートプログラムや、入力装置１０のハードウェアに依存するプログラム等を格納する。フレキシブルディスクドライブ１０５０は、フレキシブルディスク１０９０からプログラム又はデータを読み取り、ＲＡＭ１０２０を介して入出力チップ１０７０に提供する。入出力チップ１０７０は、フレキシブルディスク１０９０や、例えばパラレルポート、シリアルポート、キーボードポート、マウスポート等を介して各種の入出力装置を接続する。また、入出力チップ１０７０は、使用者の入力に対応するデータを、入力デバイス１１００の増加ボタン１０２、減少ボタン１０４、及びマウス１０６から受信し、入力装置１０で実行されるプログラムに与える。
【００５５】
入力装置１０に提供されるプログラムは、フレキシブルディスク１０９０、ＣＤ−ＲＯＭ１０９５、又はＩＣカード等の記録媒体に格納されて操作者によって提供される。プログラムは、記録媒体から読み出され、入力装置１０にインストールされ、実行される。また、入力装置１０は、符号化装置１００により生成された符号化データ系列を、記録媒体に記録し、操作者に提供してもよい。
【００５６】
入力装置１０を実現するプログラムは、指定値変更モジュールと、増加モジュールと、減少モジュールと、指定値格納モジュールと、変化量変更モジュールと、変位管理モジュールと、表示モジュールと、出力モジュールとを備える。これらのモジュールは、入力装置１０を、指定値変更部１１０、増加部１１２、減少部１１４、指定値格納部１２０、変化量変更部１３０、変位管理部１４０、表示部１５０、及び出力部１６０として動作させるプログラムである。
【００５７】
以上に示したプログラム又はモジュールは、外部の記憶媒体に格納されてもよい。記憶媒体としては、フレキシブルディスク１０９０、ＣＤ−ＲＯＭ１０９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムを入力装置１０に提供してもよい。また、これらのプログラム又はモジュールは、ＡＳＩＣ等の集積回路に実装されてもよいし、ファームウェアとして実装されてもよい。
【００５８】
以上の説明から明らかなように、入力装置１０は、装置の制御に用いられる指定値を適切に入力させることができる。特に、入力装置１０は、操作者の操作に応じて指定値を微調整することができ、操作者の所望する指定値を容易に設定させることができる。
【００５９】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００６０】
以上に説明した実施形態によれば、以下の各項目に示す入力装置、入力方法、プログラム、及び記録媒体が実現される。
【００６１】
（項目１）　操作者により指定される指定値を入力する入力装置であって、前記指定値を変更する旨を示す指定値変更指示を受け取ると、前記指定値を予め定められた第１の変化量変化させる指定値変更部と、前記指定値変更指示を受け取ってから予め定められた変化量変更期間内に、前記指定値変更指示とは異なる方向へ前記指定値を変更する指示を受け取った場合に、前記指定値変更部による変化量を前記第１の変化量より小さい第２の変化量に変更し、前記変化量変更期間経過後に、前記指定値変更指示とは異なる方向へ前記指定値を変更する指示を受け取った場合に、前記指定値変更部による変化量を前記第１の変化量のまま保持する変化量変更部とを備えることを特徴とする入力装置。
（項目２）　前記指定値変更部は、前記指定値を増加させる増加指示を受け取ると、前記指定値を前記第１の変化量増加させる増加部と、前記指定値を減少させる減少指示を受け取ると、前記指定値を前記第１の変化量減少させる減少部と
を有し、前記変化量変更部は、前記増加部及び前記減少部の一方が指示を受け取ってから前記予め定められた期間内において、前記増加部及び前記減少部の他方が指示を受け付けた場合に、前記増加部及び前記減少部の双方における前記指定値の変化量を前記第２の変化量に変更することを特徴とする項目１記載の入力装置。
【００６２】
（項目３）　操作者からの前記増加指示を入力する増加ボタンと、操作者からの前記減少指示を入力する減少ボタンとを更に備えることを特徴とする項目２記載の入力装置。
（項目４）　前記指定値の変化又は前記変化量の変化を示す情報を画面に表示する表示部を更に備えることを特徴とする項目１記載の入力装置。
（項目５）　前記変化量変更部は、前記指定値変更指示による前記指定値の変化量を前記第２の変化量に変更した場合において、前記指定値変更部が指定値変更指示を直前に受け取ってから、予め定められた変化量維持期間が経過したと判断した場合に、前記指定値変更指示による前記指定値の変化量を前記第１の変化量に再び変更することを特徴とする項目１記載の入力装置。
【００６３】
（項目６）　前記変化量変更部が、前記指定値変更部による前記指定値の変化量を前記第２の変化量に変更した場合に、前記第２の変化量による前記指定値の変位を管理する変位管理部を更に備え、前記変化量変更部は、前記変位が前記第１の変化量を超えた場合に、前記指定値の変化量を前記第１の変化量に再び変更することを特徴とする項目１記載の入力装置。
（項目７）　前記指定値変更部は、前記変化量変更部により前記変化量が前記第２の変化量に変更された場合に、前記第２の変化量を用いて前記指定値を変更し、前記変化量変更部は、前記指定値変更指示とは異なる方向に前記指定値を変化させてから前記変化量変更期間内において、指定値変更指示を再び受け取った場合に、前記指定値変更部による変化量を、更に、前記第２の変化量より小さい第３の変化量に変更することを特徴とする項目１記載の入力装置。
【００６４】
（項目８）　操作者により指定される指定値を入力する入力装置であって、前記指定値を変更する旨を示す第１の指定値変更指示を受け取ると、前記指定値を予め定められた第１の変化量変化させる指定値変更部と、前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する変化量変更部とを備えることを特徴とする入力装置。
（項目９）　操作者により指定される指定値を入力する入力装置であって、
前記指定値を変更する旨を示す指定値変更指示を受け取る毎に、前記指定値を予め定められた第１の変化量変化させる指定値変更部と、
前記指定値変更指示を予め定められた頻度より低い頻度で受け取った場合に、前記指定値変更部による変化量を、前記第１の変化量より小さい第２の変化量に変更する変化量変更部と
を備えることを特徴とする入力装置。
【００６５】
（項目１０）　操作者により指定される指定値を入力する入力装置であって、
前記指定値を変更する旨を示す指定値変更指示を受け取ると、前記指定値を予め定められた第１の変化量変化させる指定値変更部と、
前記指定値変更部による変化量を変更する指示及び前記指定値変更指示の双方を受け取ると、前記指定値変更部による変化量を、前記第１の変化量より小さい第２の変化量に変更する変化量変更部と
を備えることを特徴とする入力装置。
（項目１１）　操作者により指定される指定値を入力する入力方法であって、前記指定値を変更する旨を示す指定値変更指示を受け取ると、前記指定値を予め定められた第１の変化量変化させる段階と、前記指定値変更指示とは異なる方向へ前記指定値を変更する指示を受け取ったか否かを判断する段階と、前記指定値変更指示を受け取ってから予め定められた変化量変更期間内に、前記指定値変更指示とは異なる方向へ前記指定値を変更する指示を受け取ったと判断された場合に、前記指定値変更部による変化量を前記第１の変化量より小さい第２の変化量に変更し、前記指定値変更指示を受け取ってから前記予め定められた期間経過後に、前記指定値変更指示とは異なる方向へ前記指定値を変更する指示を受け取ったと判断された場合に、前記指定値変更指示による変化量を前記第１の変化量のまま保持する段階とを備えることを特徴とする入力方法。
【００６６】
（項目１２）　操作者により指定される指定値を入力する入力方法であって、前記指定値を変更する旨を示す第１の指定値変更指示を受け取ると、前記指定値を予め定められた第１の変化量変化させる段階と、前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する段階とを備えることを特徴とする入力方法。
（項目１３）　操作者により指定される指定値をコンピュータにより入力させるプログラムであって、前記コンピュータを
前記指定値を変更する旨を示す指定値変更指示を受け取ると、前記指定値を予め定められた第１の変化量変化させる指定値変更部と、
前記指定値変更指示を受け取ってから予め定められた変化量変更期間内に、前記指定値変更指示とは異なる方向へ前記指定値を変更する指示を受け取った場合に、前記指定値変更部による変化量を前記第１の変化量より小さい第２の変化量に変更し、前記変化量変更期間経過後に、前記指定値変更指示とは異なる方向へ前記指定値を変更する指示を受け取った場合に、前記指定値変更部による変化量を前記第１の変化量のまま保持する変化量変更部と
して機能させることを特徴とするプログラム。
【００６７】
（項目１４）　操作者により指定される指定値をコンピュータにより入力させるプログラムであって、前記コンピュータを
前記指定値を変更する旨を示す第１の指定値変更指示を受け取ると、前記指定値を予め定められた第１の変化量変化させる指定値変更部と、
前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する変化量変更部と
して機能させることを特徴とするプログラム。
（項目１５）　操作者により指定される指定値をコンピュータにより入力させるプログラムを記録した記録媒体であって、前記プログラムは、前記コンピュータを、前記指定値を変更する旨を示す指定値変更指示を受け取ると、前記指定値を予め定められた第１の変化量変化させる指定値変更部と、前記指定値変更指示を受け取ってから予め定められた変化量変更期間内に、前記指定値変更指示とは異なる方向へ前記指定値を変更する指示を受け取った場合に、前記指定値変更部による変化量を前記第１の変化量より小さい第２の変化量に変更し、前記指定値変更指示を受け取ってから前記予め定められた期間経過後に、前記指定値変更指示とは異なる方向へ前記指定値を変更する指示を受け取った場合に、前記指定値変更部による変化量を前記第１の変化量のまま保持する変化量変更部として機能させることを特徴とする記録媒体。
【００６８】
（項目１６）　操作者により指定される指定値をコンピュータにより入力させるプログラムを記録した記録媒体であって、前記プログラムは、前記コンピュータを、前記指定値を変更する旨を示す第１の指定値変更指示を受け取ると、前記指定値を予め定められた第１の変化量変化させる指定値変更部と、前記第１の指定値変更指示とは異なる方向へ前記指定値を変更する第２の指定値変更指示、前記第２の指定値変更指示とは異なる方向へ前記指定値を変更する第３の指定値変更指示、及び前記第３の指定値変更指示とは異なる方向へ前記指定値を変更する第４の指定値変更指示を、それぞれ予め定められた変化量変更期間より小さい間隔で順次受け取った場合に、前記第４の指定値変更指示以降の指定値変更指示による変化量を、前記第１の変化量より小さい第２の変化量に変更する変化量変更部として機能させることを特徴とする記録媒体。
【００６９】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００７０】
【発明の効果】
上記説明から明らかなように、本発明によれば指定値を逆方向に変化させた場合における、指定値の変化速度を調節することができる。
【図面の簡単な説明】
【図１】図１は、入力装置１０の機能ブロック図の一例を示す図。
【図２】図２は、入力装置１０の動作フローを示す図。
【図３】図３は、図２のＳ１６０における動作フローを示す図。
【図４】図４は、図２のＳ１５０における動作フローを示す図。
【図５】図５は、入力装置１０による指定値の変化を示すグラフ。
【図６】図６は、第１の変形例における、モード変更の判定を示す図。
【図７】図７は、第２及び第３の変形例における、モード変更の判定の動作フローを示す図。
【図８】図８は、第４の変形例における入力装置１０の動作フローを示す図。
【図９】図９は、図８のＳ８４０における動作フローを示す図。
【図１０】図１０は、表示部１５０による表示例を示す図。
【図１１】図１１は、第５の変形例における入力装置１０の機能ブロックの一例を示す図。
【図１２】図１２は、第５の変形例における出力部１６０の出力例を示す図。
【図１３】図１３は、実施形態及び変形例におけるハードウェア構成の一例を示す図。
【符号の説明】
１０　入力装置
１０２　増加ボタン
１０４　減少ボタン
１１０　指定値変更部
１１２　増加部
１１４　減少部
１２０　指定値格納部
１３０　変化量変更部
１４０　変位管理部
１５０　表示部
１６０　音声出力部
【図１】
2004046459.tif 000003
【図２】
2004046459.tif 000004
【図３】
2004046459.tif 000005
【図４】
2004046459.tif 000006
【図５】
2004046459.tif 000007
【図６】
2004046459.tif 000008
【図７】
2004046459.tif 000009
【図８】
2004046459.tif 000010
【図９】
2004046459.tif 000011
【図１０】
2004046459.tif 000012
【図１１】
2004046459.tif 000013
【図１２】
2004046459.tif 000014
【図１３】
2004046459.tif 000015